(57)【要約】【課題】小型軽量であって作業上扱い易いばかりか場所も取らないことから保管がし易く、しかも、各梁下面用型枠パネルをすべて同じ高さ位置でしかも水平な状態で下面から支持することができる型枠用補助部材を提供する。【解決手段】コンクリート壁Ｗ１を成形するために立設した壁面用型枠パネル４の表面５ａの所定位置に適宜固定手段３により取着され、前記壁面用型枠パネル４の表面５ａに当接する主体部１と上面２ａが該主体部１の背面１ａに対して直角をなしコンクリート梁Ｗ２を成形する梁下面用型枠パネル２１を水平な状態でその下面から支持し得る副体部２とから構成される。【選択図】図５
2006002542.tif 000002
【特許請求の範囲】
【請求項１】
コンクリート壁を成形するために立設した壁面用型枠パネルの表面の所定位置に適宜固定手段により取着され、前記壁面用型枠パネルの表面に当接する主体部と上面が該主体部の背面に対して直角をなしコンクリート梁を成形する梁下面用型枠パネルを水平な状態でその下面から支持し得る副体部とからなることを特徴とする型枠用補助部材。
【請求項２】
前記固定手段は、前記主体部の背面に設けられ前記壁面用型枠パネルの一側面に成形された水平な横桟部に載る保持板である請求項１記載の型枠用補助部材。
【発明の詳細な説明】
【技術分野】
【０００１】
本発明は、種々の型枠を枠組みしてコンクリートを打設し壁と共に梁や天井を成形する際、特に、梁を成形する梁下面用型枠パネルを水平な状態でその下面から容易に支持し得るようにした型枠用補助部材に関するものである。
【背景技術】
【０００２】
従来、例えば、床、壁、梁を有するコンクリート製の建物を構築する場合、床面上にコンクリート壁を成形する壁面用型枠パネルを立設し、その上端部の一側面にコンクリート梁を成形する梁下面用型枠パネルを連設する。更に、該梁下面用型枠パネルの一側縁に梁側面用型枠パネルを立設して組み立てている。そして、この状態で床面にサポートと称する伸縮自在なジャッキを複数本立てると共にその上端を前記梁下面用型枠パネルの下面に押し当てて支持し、コンクリートを打設したとき、その重さで本来水平な状態にある梁下面用型枠パネルが下方へ傾かないようにしている（例えば、特許文献１参照。）。
【特許文献１】特開２０００−２４８７４０号公報（第６−７頁、図７、図１０、図１１）
【発明の開示】
【発明が解決しようとする課題】
【０００３】
しかしながら、前記特許文献１のサポートである伸縮ジャッキは、金属製であって作業者の丈ほどの長さを有すると共に重量もあることから、作業上持ち運びや取扱いが面倒であるばかりか、場所を取り保管しにくい。また、前記梁下面用型枠パネルは梁を成形する上においてほぼ水平に保持する必要があるが、前記伸縮ジャッキを複数用いて各梁下面用型枠パネルをすべて同じ高さ位置でしかも水平状態に保つことが難しいことから、各梁下面用型枠パネルを組み立てるに苦慮しているのが現状である。
【０００４】
そこで、本発明は上記課題を解決すべくなされたもので、小型軽量であって作業上扱い易いばかりか場所も取らないことから保管がし易く、しかも、各梁下面用型枠パネルをすべて同じ高さ位置でしかも水平な状態で下面から容易に支持することができる型枠用補助部材を提供することを目的とするものである。
【課題を解決するための手段】
【０００５】
かかる目的を達成するため、本発明に係る型枠用補助部材は、コンクリート壁を成形するために立設した壁面用型枠パネルの表面の所定位置に適宜固定手段により取着され、前記壁面用型枠パネルの表面に当接する主体部と上面が該主体部の背面に対して直角をなしコンクリート梁を成形する梁下面用型枠パネルを水平な状態でその下面から支持し得る副体部とから構成される。
【０００６】
前記固定手段として、例えば、前記主体部の背面に設けられ前記壁面用型枠パネルの表面に成形された水平な横桟部に載る保持板が選ばれる。また、本発明の型枠用補助部材はコンクリート梁以外にコンクリート天井を成形するべく天井面用型枠パネルを組み立てる場合にも使用できるものである。
【発明の効果】
【０００７】
本発明に係る型枠用補助部材は、壁面用型枠パネルの表面に当接する主体部と梁下面用型枠パネルを水平な状態でその下面から支持し得る副体部とより構成されることから、小型軽量となり作業上取扱い易い。また、場所も取らないことから保管もし易い。更に、型枠用補助部材の主体部を壁面用型枠パネルの表面に当接するのみで、副体部の上面が水平になるように設定されることになり、連接される複数の梁下面用型枠パネルが水平な状態で支持できしかも同じ高さ位置で下面から容易に支持することができるという有益な効果を奏するものである。
【発明を実施するための最良の形態】
【０００８】
以下、本発明に係る型枠用補助部材の実施の形態を図面に基づき説明する。図１は本発明に係る型枠用補助部材の斜視図である。この型枠用補助部材Ａは、例えば、所要の強度を有する金属製の角パイプからなり、略中央部で逆Ｌ字状に曲げて成形されている。そして、主体部である縦杆部１の背面１ａと副体部である横杆部２の上面２ａとは直角となるように製作されている。また、縦杆部１の背面１ａの所定の高さ位置に固定手段としての保持板３が一体に設けられている。この保持板３の下面３ａは前記横杆部２の上面２ａと平行になるように設定される。
【０００９】
具体的に、前記型枠用補助部材Ａは一辺が６０ｍｍ程度の角パイプから成形され、例えば、縦杆部１の上下の長さ寸法が５５５ｍｍ、横杆部２の前後の長さ寸法が３６０ｍｍである。また、前記保持板３の上下の長さ寸法は１５０ｍｍ、厚さは８ｍｍである。この保持板３は縦杆部１の背面１ａにその上端面から１３５ｍｍ下がった位置に設けられ、縦杆部１の背面１ａを後記する壁面用型枠パネル４の表面に当接すると共に所定の水平な横桟部８ｂの上面に載せられる。このとき、横杆部２が縦杆部１の上端部から前方へ延設され梁Ｗ２を成形する梁下面用型枠パネル２１を所定の高さで水平に支持する位置に配置されることになる。
【００１０】
本実施の形態では、主体部と副体部を一本の角パイプにより成形したが、主体部の背面１ａと副体部の上面２ａとが直角となりかつ固定手段である保持板３の下面３ａが副体部の上面２ａと平行になれば、主体部と副体部は三角形または四角形等の多角形状の枠または板であっても良く、固定手段も角パイプまたは三角形またはその他の多角形であっても良く、これら自由にその形状が選択できる。
【００１１】
壁面用型枠パネル４は、ＦＲＰ製であって、例えば縦寸法が１８００ｍｍ、横寸法が６００ｍｍの縦長方形状の基板５からなる。基板５の縦寸法は、一定の長さに限定されるものではないが、少なくともコンクリート建物の各階の床と天井間の距離より短く設定される。そして、該基板５の表面５ａに、その長手方向に沿って両側縁と中央部にそれぞれ二本（合計四本）のアルミ製の固定枠６ａ，６ｂがネジ（図示せず。）によって平行に添設固定される。基板５の表面５ａの上端縁には木製の上縁枠７が固定される。また、前記各固定枠６ａ，６ｂの下端部は基板５の下端縁から下方へ所定の長さ突出している。
【００１２】
前記基板５の表面５ａに、中央の縦桟部８ａと複数本の横桟部８ｂ，８ｂ…が格子状に前方へ突出している。縦桟部８ａにはその長手方向に沿って、対向する壁面用型枠パネル４，４間の間隔を所定の寸法に設定するため後記するセパレーター１１を挿通する複数の取付孔９が等間隔に開設される。また、基板５の両側端縁に位置する固定枠６ａ，６ａは、帯板状に成形され、横に連接する壁面用型枠パネル４，４同士を接合するためその長手方向に沿って後記する連結金具２４を挿通する複数の通孔１０が等間隔に列設される。
【００１３】
セパレーター１１は、図３に示すように金属棒からなる胴部１２の両端部にねじ溝１３，１３を刻設すると共に両ねじ溝１３，１３に円錐台形状の調節子１４，１４が螺合される。また、その外側に同じく両ねじ溝１３，１３に螺合するナット１５，１５が配置され、各ナット１５，１５に上下に貫通する長細透孔１６，１６を貫設した一対の帯片１７，１７が固着される。両長細透孔１６，１６には、楔１８が上下に挿通されることになる。なお、図３では他方の帯片１７，１７と楔１８は図示が省略してある。
【００１４】
次に、型枠用補助部材Ａを使用してコンクリート型枠を組み立てる施工方法を説明する。図４はコンクリート建物のある階の施工途中の断面図を示す。図中、Ｗ１は壁、Ｗ２は梁、Ｗ３は天井をそれぞれ示し、これらがコンクリート型枠内にコンクリートを打設した後に成形されることになる。このため、まず床Ｆ面に底板１９を敷設すると共にその端縁の上面に複数の下部自在パネル２０を連接して立設固定し、それらの上に前記壁面用型枠パネル４を壁状に複数枚連接して立設する。この際、各壁面用型枠パネル４の下端縁から下方へ突出する各固定枠６ａ，６ｂが下部自在パネル２０の表面に当接することになり、打設されたコンクリートの圧力に耐え得るようになっている。図示は省略するが、同様に各壁面用型枠パネル４と対向位置させ所定の幅（壁Ｗ１の厚み）離して複数の壁面用型枠パネル４が壁状に連接されることになる。
【００１５】
前記各壁面用型枠パネル４の上端縁に梁Ｗ２の下面を成形する梁下面用型枠パネル２１が前方へほぼ水平に突出され、更に、それらの前端縁の上面に梁Ｗ２の側面を成形する梁側面用型枠パネル２２が立設される。所定の間隔離して対向位置する両壁面用型枠パネル４，４間には、調節子１４で間隔を設定すると共に対応する取付孔９，９にセパレーター１１における胴部１２両端のねじ溝１３，１３を挿通する。そして、各壁面用型枠パネル４の表側から各ねじ溝１３にナット１５を螺着する。更に、両帯片１７，１７間に挿通するようにして各壁面用型枠パネル４，４の表側に横木２３を押し当て、この状態で両長細透孔１６，１６に上から楔１８を挿通させる。これにより、対抗位置する壁面用型枠パネル４，４がしっかりと固定される。
【００１６】
一方、隣接する壁面用型枠パネル４，４は、それぞれ側端縁の固定枠６ａ，６ａを当接して、互いに連通する通孔１０に連結金具２４を挿通することにより互いにしっかりと締付固定される。この連結金具２４は、前記通孔１０に挿通される挿通部２４ａと二つの固定枠６ａ，６ａを外側から挟着する挟着部２４ｂ，２４ｂとにより平面略Ｏの字状に成形されている。そして、前記挟着部２４ｂ，２４ｂ間の寸法は、両固定枠６ａ，６ａの幅よりも僅かに狭く設定され、両固定枠６ａ，６ａが弛むことなくしっかりと連結固定できるようになっている。
【００１７】
本発明は、図５、図６に示すように各壁面用型枠パネル４について一番上にあるセパレーター１１に横木２３を挿通する際、あらかじめ型枠用補助部材Ａを各壁面用型枠パネル４の表面５ａに取り付ける。すなわち、各縦杆部１の背面１ａを各基板５の表面５ａに当接すると共に保持板３を最上部の横桟部８ｂの上面に載せる。このとき、横杆部２の上面２ａは、ほぼ水平に位置すると共に梁Ｗ２を成形する梁下面用型枠パネル２１の下側に位置する。
【００１８】
コンクリート型枠の組み立てが完了した後、型枠内にコンクリートを打ち込む。この際、前記梁Ｗ２部位の重みにより梁下面用型枠パネル２１が下方へ傾こうとしても、各型枠用補助部材Ａにより所定の高さでしかも水平状態で下から支持されるので、各梁下面用型枠パネル２１の水平度が狂うようなことはない。コンクリートが硬化した後は、各セパレーター１１、各横木２３、各型枠用補助部材Ａ、壁面用型枠パネル４、梁下面・側面用型枠パネル２１，２２を外す。そして、これらを次の階へ運んで同様に作業を行なうことになる。
【００１９】
このように本発明は、壁面用型枠パネル４の表面５ａに当接する主体部１と梁下面用型枠パネル２１を水平な状態でその下面から支持し得る副体部２とより構成されることから、小型軽量となり作業上取扱い易い。また、場所も取らないことから保管もし易い。更に、型枠用補助部材Ａの主体部１を壁面用型枠パネル４の一側面５ａに当接するのみで、副体部２の上面２ａが主体部１の背面１ａに対して直角をなして水平に設定されることになり、連接される複数の梁下面用型枠パネル２１が同じ高さ位置でしかも水平な状態で支持できるものである。
【図面の簡単な説明】
【００２０】
【図１】本発明に係る型枠用補助部材の斜視図。
【図２】壁面用型枠パネルの斜視図。
【図３】セパレーターの斜視図。
【図４】コンクリート建物のある階の施工途中の断面図。
【図５】同要部の拡大断面図。
【図６】同要部の拡大正面図。
【符号の説明】
【００２１】
１          主体部
１ａ        背面
２          副体部
３          保持板
４          壁面用型枠パネル
８ｂ        横桟部
２１        梁下面用型枠パネル
Ａ          型枠用補助部材
Ｗ１        壁
Ｗ２        梁
【図１】
2006002542.tif 000003
【図２】
2006002542.tif 000004
【図３】
2006002542.tif 000005
【図４】
2006002542.tif 000006
【図５】
2006002542.tif 000007
【図６】
2006002542.tif 000008